(57)【要約】      （修正有）【課題】 歯科診療に関する各種データを取り扱うファイル装置への各種データの入出力制御を遠隔操作できる歯科診療システムを提供する。【解決手段】 歯科診療に関する各種データのデータ管理を行うファイル装置１と、歯科診療室にある任意台数の歯科治療装置、歯科診断装置、歯科用レントゲン装置１２、デジタルラジオグラフィー装置、ＣＣＤカメラ等からなる歯科治療関連機器と前記ファイル装置１との間の各種データの入出力制御を行う入出力制御回路４と、この入出力制御回路４による前記各種データの入出力制御を遠隔操作により行うワイヤレス送信機６とを有するものである。【選択図】図１
2006271969.tif 000002
【特許請求の範囲】
【請求項１】
歯科診療に関する各種データのデータ管理を行うファイル装置と、
歯科診療室にある任意台数の歯科治療装置、歯科診断装置、歯科用レントゲン装置、デジタルラジオグラフィー装置、撮像装置等からなる歯科治療関連機器と前記ファイル装置との間の各種データの入出力制御を行う入出力制御回路と、この入出力制御制御回路による前記各種データの入出力制御を遠隔操作により行う遠隔操作手段と、を有する歯科診療システムにおいて、
前記任意台数の歯科治療装置としての各治療椅子１５〜１７のうち、治療椅子１５には、ビデオモニター７及び口腔内観察用のＣＣＤカメラ２９，治療椅子１６には、ビデオモニター８、治療椅子１７には、咬合圧測定器９及び歯髄診断機１０をそれぞれ付設し、前記歯科用レントゲン装置としてのレントゲン室１４には、レントゲン装置１２，フィルムレスでＸ線画像をモニター上に表示できるデジタルラジオグラフィー装置１１及びこれに接続するセンサ１３を設置し、かつ、前記ファイル装置としての、歯科診療用の各種画像データ、文字データ等の記録、再生、圧縮等のデータ処理を行うファイル装置１を配置するとともにこのファイル装置１には、前記各治療椅子１５〜１７に付設した咬合圧測定器９、歯髄診断機１０及びＣＣＤカメラ２９の各診断機器と前記レントゲン装置１２で得られた診断データを、当該ファイル装置１に取り込むためにビデオ信号ライン３４，シリアル信号ライン３５を接続し、かつこのビデオ信号ライン３４，シリアル信号ライン３５は、前記入出力制御回路４に接続するとともにこの入出力制御回路４には、前記遠隔操作手段としてのワイヤレス送信機６からの指令をワイヤレス受信機５に受信し、信号ライン２２を経て送信できるように構成し、さらに前記ＣＣＤカメラ２９は、前記ビデオ信号ライン３０、入出力制御回路４を介して、前記ファイル装置１のビデオ入力端子３１に接続されるとともに前記ファイル装置１のビデオ出力端子３２は、前記入出力制御回路４及びビデオ信号ライン２４，２５を介して前記ビデオモニター７、８にそれぞれ接続され、ビデオ出力端子３２から出力されるビデオ信号に基づく画像をビデオモニター７またはビデオモニター８に表示することができるように構成し、また前記ワイヤレス送信機６は、送信回路５０とスイッチ４２ａ〜４２ｄからなるスイッチ群４２を具備し、ワイヤレス受信機５は、受信回路５１と前記スイッチ４２ａ〜４２ｄに１：１で対応するリレー接点４３ａ〜４３ｄからなるリレー接点群を具備するとともに、前記スイッチ群４２のスイッチ４２ａ〜４２ｄにパラレルに入力された信号を、シリアル信号変換回路４７でシリアル変換し、エンコーダ４８でコード化し、次いで変調回路４９で変調をかけてコード化処理し、その信号を無線機５０ａからワイヤレス受信機５の受信機５１ａに送信するとともに前記ワイヤレス受信機５は、無線機５０ａからの信号をアンテナ１８、受信機５１ａにて受信し、この受信信号を復調回路５２により復調し、アンプ５３で増幅した後、 バンドパスフィルタ５４で波形整形しデコーダ５５に送信してデコーダ処理しつつ送信データを復元するとともに復元データをパラレル変換器５６によりパラレルデータに変換し、コイル群を励磁し、リレー接点群４３のリレー接点群４３ａ〜４３ｄを開閉できるように構成し、前記歯科治療装置のシステムにおいて、前記スイッチ群４２のスイッチ４２ａは、口腔内観察用のＣＣＤカメラ２９からの映像を静止したり、スルー表示したりする動作を行い、スイッチ４２ｂは取り込まれた映像をファイル装置１に記憶させる動作を行い、スイッチ４２ｃは、ファイル装置１に記憶されている画像データを読み出す動作を行い、スイッチ４２ｄは、前記��ＣＤカメラ２９による撮像画像を表示するモニターの切り換えを行うようにそれぞれ設定し、また前記咬合圧測定器９及び歯髄診断機１０をビデオ信号ライン２６、２７，入出力制御回路４の切り換えスイッチ５７、ビデオ信号ライン３０を介してファイル装置１に接続することにより、咬合圧測定器９または歯髄診断機１０からのビデオ信号を切り換え制御可能にするとともに前記ワイヤレス送信機６のスイッチ群４２ａ〜４２ｄを操作することによりこれらの画像データをファイル装置１に格納したり読み出したりすることができるようにし、さらに前記レントゲン室１４に配置したセンサ１３の出力を取り込むデジタルラジオグラフィー装置１１をファイル装置１に対し入出力回路４、ビデオ信号ライン３０を介して接続するとともに前記ワイヤレス送信機６のスイッチ群４２のスイッチ４２ａ〜４２ｄを操作することにより、デジタルラジオグラフィー装置１１からのＸ線画像データをファイル装置１に格納したり読み出したりすることができるように構成したことを特徴とする、歯科診療システム。
【請求項２】
前記遠隔操作手段が、可視光や赤外光による光通信手段を使用したワイヤレス送信機及びワイヤレス受信機により構成したことを特徴とする請求項１記載の歯科診療システム。
【発明の詳細な説明】
【技術分野】
【０００１】
本発明は、歯科診療システムに関し、歯科診療室の各所に設けられた歯科冶療装置及び歯料診断装置と、歯科診療に関する各種データを取り扱うファイル装置との間のシステム制御を行う歯科診療システムに関する。
【背景技術】
【０００２】
従来は、歯科診療室内での歯科治療椅子を用いた歯科治療、Ｘ線撮影室内での撮影などの治療データの処理はそれぞれを別々の場所で行うようになっているため、治療を行う際に必要な各種データを得るには、医師やアシスタントがその都度診察室内の各所に移動する必要があり、非能率であった。
【０００３】
このような歯科診療システムも、近年は、コンピュータによる情報処理化が進展し、歯科治療装置や、その近傍にコンピュータの端末器やモニターを置いて診察データ等を入力したり、その場で情報を表示する等、オンラインによる各種データの情報伝達を可能にすることが望まれるようになってきている。
【０００４】
また、Ｘ線フィルムに代わる歯料診療システムとして、Ｘ線画像をデジタル化し、これをディスプレー装置に表示するシステムも近年開発されているが、このシステムはフィルムレスであるため、Ｘ線撮影室で撮影のために設置されたＸ線装置から得られたＸ線画像をファイリングしたり、患者の治療を行うための歯料治療装置近傍にＸ線画像を表示する装置を置いてＸ線画像を表示したりする情報伝達システムが望まれるようになってきている。
【０００５】
また、今日では、歯科治療にあたって口腔内を観察するために、口腔内を捉えるＣＣＤカメラやその画像を移し出すディスプレイ装置や面像を操作、編集、記憶するファイル装置等を組み込んだカートも使用されている。ファイル装置は、ビデオ映像機器やディジタルカメラを使用して直接或いは間接にフロッピィーディスクやＰＣカードにディジタル記録できるため、口腔画像をファイリングして症状や治療経過を患者に説明するためのコミュニケーションツールとして使用されている。
【０００６】
さらに、近年は、咬合力の分析状態の診査では、従来のカーボンやワックスによる測定では充分なデータが得られないため、圧力測定フィルム等で得られた測定圧をスキャナーで読み取り、この情報をコンピュータに入力してディスプレイ上に咬合力の三次元波形で出力表示をするもの等も開発され、得られた画像データを患者の管理ファイルとして、他のデータとともに一貫した管理をすることも望まれている。
尚、出願人は歯科診療所内に設置した各種コンピューター間のデータ伝送をケーブルレスの手段により可能とした歯科診療システムを開発した。（特許文献１）
【特許文献１】特開平７−４６１８５号公報
【発明の開示】
【発明が解決しようとする課題】
【０００７】
しかしながら、これらの歯科診療で必要なデータを操作するためには、医師やアシスタントは患者の歯科冶療スペースからこれらの装置あるいはこれらを管理するフアイル装置まで移動して操作しなければならないという課題があった。
また、前記特許文献１の歯科診療システムの場合には、各種コンピューターを使用するもので全体の装置が高額となるばかりでなく、システム操作上パソコン操作に不慣れであると操作が困難な為操作ミスを生ずる等の欠点を有するものであった。
【０００８】
本発明は前記課題を解消すべくなされたものであり、歯科診療で必要なデ一タを操作するために医師やアシスタントが診療位置から移動することなく、容易に口腔内の画像データ、Ｘ線画像データ、その他各種のデータをファイル装置に入出力することができる歯科診療システムの提供を目的とする。
【課題を解決するための手段】
【０００９】
請求項１記載の発明は、歯科診療に関する各種データのデータ管理を行うファイル装置と、  歯科診療室にある任意台数の歯科治療装置、歯科診断装置、歯科用レントゲン装置、デジタルラジオグラフィー装置、撮像装置等からなる歯科治療関連機器と前記ファイル装置との間の各種データの入出力制御を行う入出力制御回路と、この入出力制御制御回路による前記各種データの入出力制御を遠隔操作により行う遠隔操作手段と、を有する歯科診療システム。
【００１０】
請求項２記載の発明は、請求項１記載の発明における前記遠隔操作手段が、可視光や赤外光による光通信手段を使用したワイヤレス送信機及びワイヤレス受信機により構成したことを特徴とする。
【００１１】
本発明によれば、遠隔操作手段を操作し入出力制御回路による前記各種データの入出力制御を遠隔操作により行うことで、歯科診療室にある任意台数の歯科治療装置、歯科診断装置、歯科用レントゲン装置、デジタルラジオグラフィー装置、撮像装置等からなる歯科治療関連機器と、ファイル装置との間のＸ線画像、口腔内画像等の画像データその他各種データの入出力制御を医師等が自らの診療位置から移動することなく簡略に行うことができる。
【発明の効果】
【００１２】
本発明によれば、医師やアシスタントは遠隔操作手段を操作することによって、診療位置から移動することなく、Ｘ線画像データや、口腔内の画像データ、その他各種のデータを簡略にファイル装置に入出力させることができる。
【実施例】
【００１３】
図１乃至図５は本発明の実施の形態を示し、図１は歯科診療システムの概念図、図２は口腔内観察用システム例を説明するための部分詳細図、図３はワイヤレス送信機の送信回路及び受信回路の説明用部分詳細図、図４は咬合圧測定器及び歯髄診断機のシステム例を説明する部分詳細図、図５はデジタルラジオグラフィー装置のシステム例を説明する部分詳細図である。
【００１４】
本実施の形態の歯料診療システムにおいては、図１に示すように診療室内に治療椅子１５、１６、１７が設置されており、各治療椅子１５、１６、１７には、歯科治療のための照明装置、うがいスタンド、各種器具等を設置することができるブラケットテーブル等が付設されているが、図１ではこれらの設備の図示を省略している。そして、治療椅子１５には、ビデオモニター７及び口腔内観察用のＣＣＤカメラ２９が、治療椅子１６にはビデオモニター８が、治療椅子１７には咬合圧測定器９及び歯髄診断機１０を付設している。
【００１５】
また、レントゲン室１４には、レントゲン装置１２の他に、フィルムレスでＸ線画像をモニター上に表示できるデジタルラジオグラフィー装置１１及びこれに接続するセンサ１３が設置してある。患者はこのセンサ１３を口腔内に入れてレントゲン装置１４にてＸ線を照射すると歯牙のＸ線画像がデジタルラジオグラフィー装置１１のモニターに表示されるようになっている。
【００１６】
また、歯科診療室には歯科診療用の各種画像データ、文字データ等の記録、再生、圧縮等のデータ処理を行うファイル装置１が配置されている。このファイル装置１においては前記各種データを、ハードディスクやＩＣカード等の記録媒体を使用して管理している。
【００１７】
さらに、本実施の形態の歯科診療システムでは、各冶療椅子１５、１６、１７に付設する診断機器やレントゲン装置で得られた診断データをファイル装置１に取り込むために、ビデオ信号ライン３４やＲＳ２３２Ｃ形式のシリアル信号ライン３５がファイル装置１に接続されている。
【００１８】
これらのビデオ信号ライン３４やシリアル信号ライン３５は、入出力制御回路４に接続され、遠隔操作手段であるワイヤレス送信機６からの指令をワイヤレス受信機５により受信し、信号ライン２２を経て入出力制御回路４に送るようになっている。
【００１９】
また、口腔内観察用のＣＣＤカメラ２９は、ビデオ信号ライン３０、入出力制御回路４を介してファイル装置１のビデオ入力端子３１に接続されている。ファイル装置１は、ビデオ入力端子３１の他に、ビデオ出力端子３２を具備している。ビデオ出力端子３２は、入出力制御回路４及びビデオ信号ライン２４、２５を介してビデオモニター７、ビデオモニター８に各々接続され、ビデオ出力端子３２から出力されるビデオ信号に基づく画像をビデオモニター７又はビデオモニター８に表示することができるようになっている。
【００２０】
次に、本システムの各部分の詳細について説明する。口腔内診察用のシステムは、図２に示すように、ワイヤレス送信機６は、送信回路５０とスイッチ群４２（スイッチ４２ａ、４２ｂ、４２ｃ、４２ｄからなる）とを具備し、ワイヤレス受信機５は、受信回路５１と前記スイッチ４２ａ乃至４２ｄに１：１で対応するリレー接点４３ａ、４３ｂ、４３ｃ、４３ｄからなるリレー接点群４３を具備している。
【００２１】
前記ワイヤレス送信機６の送信回路５０及びワイヤレス受信機５の受信回路５１は、図３に示すように、スイッチ群４２のスイッチ４２ａ、４２ｂ、４２ｃ、４２ｄにパラレルに入力された信号を、シリアル変換回路４７でシリアル変換し、エンコーダ４８でコード化し、次いで変調回路４９で変調をかけてコード化処理を行うものである。コード化された信号は無線機５０ａからワイヤレス受信機５の受信機５１ａに向けて送信される。
【００２２】
一方、ワイヤレス受信機５では、無線機５０ａからの信号をアンテナ１８、受信機５１ａにより受信し、この受信信号を復調回路５２により復調し、アンプ５３で増幅した後、バンドパスフィルタ５４で波形整形し、デコーダ５５に送る。そして、このデコーダ５５でデコード処理を行って送信データを復元する。さらに、復元データをパラレル変換器５６によりパラレルデータに変換して図示しないコイル群を励磁し、リレー接点群４３のリレー接点４３ａ、４３ｂ、４３ｃ、４３ｄを開閉するものである。
【００２３】
尚、図２に示すスイッチ４２ａは、口腔内観察用のＣＣＤカメラ２９からの映像を静止したり、スルー表示したりする動作を行い、また、スイッチ４２ｂは取り込まれた映像をファィル装置１に記憶させる動作を行い、スイッチ４２ｃは、ファイル装置１に記憶されているデータ（画像データ）を読み出す動作を行い、スイッチ４２ｄは、前記ＣＣＤカメラ２９による撮像画像を表示するモニターの切り替えを行うように各々設定されている。
【００２４】
既述したとおり、前記スイッチ群４２は、無線通信によりリレー接点群４３と１：１で対応しているので、例えば、スイッチ４２ａを押すとリレー接点４３ａが閉じるように動作する。そして、リレー接点４３ａ乃至４３ｄは、入出力制御回路４に設けたＩ／Ｏ（インプット／アウトプット）ボード３の入力ポート４６に接続されている。そして、入出力制御回路４におけるＣＰＵ２の制御により、入力ポート４６に取り込まれるパラレルデータがシリアルデータに変換されてシリアル出力ポート３３からシリアル信号ライン３５を介してファイル装置１に送られるようになっている。
【００２５】
例えば、画像を静止するためのスイッチ４２ａを押すと、スイッチ４３ａの接点が閉じてＩ／Ｏポード３の入力ポート４６にロー（Ｌｏｗ）レベルの信号として入力される。この信号は、ＣＰＵ２の制御によりシリアルデータに変換されシリアル信号ライン３５を介してファイル装置１に送られ、ファイル装置１に記憶されている画像データを読み出し、静止データとしてモニター７又は８に表示するようになっている。
【００２６】
また、モニター７、８に関しては、前記スイッチ４２ｄを押すことによりモニター７、モニター８のいずれかを切り替え選択するようになっている。前記Ｉ／Ｏポート３は、リレー接点４３ｄからのロー（Ｌｏｗ）レベルの信号を取り込み、出力ポート４１から出力制御ライン４４を介して出力制御信号を送出し、入出力制御回路４に設けたリレー４５におけるコイル４５ａを励磁し、リレー接点４５ｂを切り替えるようにしている。即ち、ファイル装置１のビデオ端子３２から出力されるビデオ信号をリレー接点４５の切り替え動作によりモニター７又は８のいずれかに送るようになっている。
【００２７】
同様にして、前記スイッチ４２ｂを押すことによって、取り込まれた画像データをファィル装置１に記憶させることができる。また、スイッチ４２ｃを押すことによりファイル装置１から画像データを読み出しモニター表示することができる。
【００２８】
咬合圧測定器９及び歯髄診断機１０のシステムは、図４に示すように、咬合圧測定器９及び歯髄診断機１０がビデオ信号ライン２６、２７、入出力制御回路４の切り替えスイッチ５７、ビデオ信号ライン３０を介してファィル装置１に接続され、咬合圧測定器９又は歯髄診断機１０からのビデオ信号を切り替え制御可能になっている。そして、ワイヤレス送信機６のスイッチ群４２ａ、４２ｂ、４２ｃ、４２ｄを操作することにより、これら画像データをファイル装置１に格納したり読み出したりすることを可能としている。
【００２９】
また、デジタルラジオグラフィー装置１１のシステムは、図５の例に示すように、レントゲン室１４にレントゲン装置１２を配置するとともに、センサ１３の出力を取り込むデジタルラジオグラフィー装置１１がファィル装置１に対し入出力制御回路４、ビデオ信号ライン３０を介して接続される構成となっている。
【００３０】
そして、ワイヤレス送信機６のスイッチ群４２のスイッチ４２ａ、４２ｂ、４２ｃ、４２ｄを操作することにより、デジタルラジオグラフィー装置１１からのＸ線画像データをファイル装置１に格納したり読み出したりすることを可能としている。
【００３１】
尚、本発明のシステム回路構成の通信部分は、可視光や赤外光による光通信手段を使用したワイヤレス通信に置き換えても実現可能である。また、オンライン制御でも可能であることはいうまでもない。
【００３２】
また、患者がどの椅子に座っても、また診療室内のどこからでも遠隔操作手段を操作することが可能である。そして、ファイル装置によってこれらの各種データの一括管理を容易に行うことができる。
【図面の簡単な説明】
【００３３】
【図１】本発明の実施の形態を示す歯科診療システムの概念図である。
【図２】本発明の実施の形態の口腔内観察用システム例を示すブロック図である。
【図３】本発明の実施の形態の送信回路及び受信回路を示すブロック図である。
【図４】本発明の実施の形態の咬合圧測定器及び歯髄診断機を示すブロック図である。
【図５】本発明の実施の形態のデジタルラジオグラフィー装置のシステム例を示すブロック図である。
【符号の説明】
【００３４】
１ ファイル装置
４ 入出力制御回路
５ ワイヤレス受信機
６ ワイヤレス送信機
７、８ ビデオモニター
９ 咬合圧測定器
１０ 歯髄診断機
１１ デジタルラジオグラフィー
１２ レントゲン装置
１３ センサ
１４ レントゲン室
１５、１６、１７ 椅子
１８ アンテナ
２９ ＣＣＤカメラ
３４ ビデオ信号ライン
４２ 送信スイッチ群
４３ 受信回路接点群
４６ 入力ポート
４８ エンコーダ
４９ 変調回路
５０ 送信回路
５１ 受信回路
５２ 復調回路
５３ アンプ
５４ バンドパスフィルタ
５５ デコーダ
５７ 切替スイッチ
【図１】
2006271969.tif 000003
【図２】
2006271969.tif 000004
【図３】
2006271969.tif 000005
【図４】
2006271969.tif 000006
【図５】
2006271969.tif 000007